(57)【要約】【課題】ボード二層貼り遮音壁を現場で能率良く施工でき、しかも、内層ボードにおけるボード突き合わせ部と外層ボードにおけるボード突き合わせ部とを揃わせず遮音性能を損なわせない、パネル、壁及び方法を提供する。【解決手段】パネル１は、５本の縦桟６…が間隔的に備えられたパネルフレーム２に対し、内層ボード３がその両側部をいずれもパネルフレームの側面部位置から内方に控えさせて取り付けられ、外層ボード４がその両側部をいずれも内層ボードの側面部位置から内方に控えさせて取り付けられたものである。施工は、該パネルを現場で並列状態に設置後、隣り合うパネルの内層ボード間に現場貼り内層ボードを、外層ボード間に現場貼り外層ボードを取り付け、内層、外層の各ボードを遮音壁パネルの並列方向において連続させた状態にすればよい。【選択図】      図１
2006194021.tif 000002
【特許請求の範囲】
【請求項１】
少なくとも一方の面側にボード取付け用の縦桟を少なくとも４本以上間隔的に有するパネルフレームが備えられ、
該パネルフレームに対し、内層ボードが、その両側部をいずれもパネルフレームの側面部位置から内方に控えさせるようにして取り付けられると共に、該内層ボードの外側に、外層ボードが、その両側部をいずれも内層ボードの側面部位置から内方に控えさせるようにして取り付けられていることを特徴とするボード二層貼り遮音壁パネル。
【請求項２】
前記内層ボード及び／又は外層ボードが、幅方向に複数のボードを突き合わせ状態に並列させてパネルフレームに取り付けられたものからなり、該突き合わせ部がもう一方のボードの面内に位置している請求項１に記載のボード二層貼り遮音壁パネル。
【請求項３】
請求項１又は２に記載のボード二層貼り遮音壁パネルが複数備えられ、
これらボード二層貼り遮音壁パネルが並列状態に設置され、隣り合う遮音壁パネルの内層ボード間に現場貼り内層ボードが取り付けられると共に、隣り合う遮音壁パネルの外層ボード間に現場貼り外層ボードが取り付けられて、内層、外層の各ボードが遮音壁パネルの並列方向において連続していることを特徴とするボード二層貼り遮音壁の構造。
【請求項４】
請求項１又は２に記載のボード二層貼り遮音壁パネルを複数用い、
これらボード二層貼り遮音壁パネルを並列状態に設置した後、
隣り合う遮音壁パネルの内層ボード間に現場貼り内層ボードを取り付け、隣り合う遮音壁パネルの外層ボード間に現場貼り外層ボードを取り付け、内層、外層の各ボードを遮音壁パネルの並列方向において連続させた状態にすることを特徴とするボード二層貼り遮音壁の施工方法。
【発明の詳細な説明】
【技術分野】
【０００１】
本発明は、ボード二層貼り遮音壁パネル、同遮音壁の構造及び施工方法に関する。
【背景技術】
【０００２】
石膏ボードなどを用いたボード二層貼り遮音壁の施工は、従来、図４（イ）に示すように、独立間柱５１…を立てたのち、図４（ロ）（ハ）に示すように、内層のボード５２を独立間柱５１…にビス５４…で取り付け、その外側から外層のボード５３を取り付けていく、というようにして行われていた。
【０００３】
そして、ボードの取付けにおいては、遮音性能が損なわれないように、内層ボード５２を構成するボード５２ａ…の突き合わせ部を、外層ボード５３を構成するボード５３ａ…の面内に位置させると共に、外層ボード５３を構成するボード５３ａ…の突き合わせ部を、内層ボード５２を構成するボード５２ａ…の面内に位置させ、内層ボード５２におけるボード突き合わせ部と外層ボード５３におけるボード突き合わせ部とが揃ってしまわないようにすることが施工上の条件とされている。
【０００４】
しかしながら、上記のような方法では、間柱５１…を現場で一本づつ立てていかなければならず、施工に手間を要するという問題があった。
【０００５】
そこで、図５（イ）に示すように、方形環状のパネルフレーム本体５５に間柱となる縦桟５１…を予め取り付けたパネルフレーム５６を用い、これを、図５（ロ）に示すように、複数、現場において並列状態に設置し、しかる後、上記と同様にして、内層ボード５２と外層ボード５３を取り付けていくという施工方法が考えられる。
【発明の開示】
【発明が解決しようとする課題】
【０００６】
しかしながら、この施工方法では、確かにボード取付け用下地材の現場施工を、パネルフレーム５６を用いて能率良く行っていくことができるメリットはあるものの、内層、外層の各ボード５２，５３の取付けは、依然として、現場で一枚一枚行っていかなければならず、ボード５２，５３の取付けに手間を要するという問題がある。
【０００７】
本発明は、上記のような問題点に鑑み、ボード二層貼り遮音壁を、現場での施工の手間を軽減して、能率良く施工することができ、しかも、内層ボードにおけるボード突き合わせ部と外層ボードにおけるボード突き合わせ部とを揃わせず遮音性能を損なわせることもない、ボード二層貼り遮音壁パネル、同遮音壁の構造及び施工方法を提供することを課題とする。
【課題を解決するための手段】
【０００８】
上記の課題は、少なくとも一方の面側にボード取付け用の縦桟を少なくとも４本以上間隔的に有するパネルフレームが備えられ、
該パネルフレームに対し、内層ボードが、その両側部をいずれもパネルフレームの側面部位置から内方に控えさせるようにして取り付けられると共に、該内層ボードの外側に、外層ボードが、その両側部をいずれも内層ボードの側面部位置から内方に控えさせるようにして取り付けられていることを特徴とするボード二層貼り遮音壁パネルによって解決される。
【０００９】
このパネルでは、ボード取付け用の縦桟が少なくとも４本以上間隔的に備えられたパネルフレームが用いられているので、このパネルを用いて現場での施工を行うことにより、ボード取付け用下地材の現場施工を能率良く行っていくことができる。
【００１０】
しかも、パネルには、予め内層ボードと外層ボードとが取り付けられているので、現場でのボードの取付け作業の労力も軽減することができ、縦桟、即ち、ボード取付け用下地材の現場施工の省力化と併せて、ボード二層貼り遮音壁の現場での施工を能率良く行っていくことができる。
【００１１】
特に、上記のパネルでは、パネルフレームに対し、内層ボードが、その両側部をいずれもパネルフレームの側面部位置から内方に控えさせるようにして取り付けられると共に、内層ボードの外側に、外層ボードが、その両側部をいずれも内層ボードの側面部位置から内方に控えさせるようにして取り付けられている。従って、現場での施工において、隣り合うパネルの内層ボード同士が干渉しあうことがなく、各パネルの設置を施工容易に行っていくことができる。のみならず、隣り合うパネルの内層ボード間をつなぐ現場貼り内層ボードとパネルの内層ボードとの突き合わせ部が、隣り合うパネルの外層ボード間をつなぐ現場貼り外層ボードとパネルの外層ボードとの突き合わせ部と揃ってしまうのを防ぐことができ、パネル間部分における遮音性能の低下を防ぐことができる。
【００１２】
また、上記の課題は、上記のボード二層貼り遮音壁パネルが複数備えられ、
これらボード二層貼り遮音壁パネルが並列状態に設置され、隣り合う遮音壁パネルの内層ボード間に現場貼り内層ボードが取り付けられると共に、隣り合う遮音壁パネルの外層ボード間に現場貼り外層ボードが取り付けられて、内層、外層の各ボードが遮音壁パネルの並列方向において連続していることを特徴とするボード二層貼り遮音壁の構造によって、同様に解決される。
【００１３】
また、上記のボード二層貼り遮音壁パネルを複数用い、
これらボード二層貼り遮音壁パネルを並列状態に設置した後、
隣り合う遮音壁パネルの内層ボード間に現場貼り内層ボードを取り付け、隣り合う遮音壁パネルの外層ボード間に現場貼り外層ボードを取り付け、内層、外層の各ボードを遮音壁パネルの並列方向において連続させた状態にすることを特徴とするボード二層貼り遮音壁の施工方法によっても同様に解決される。
【００１４】
上記のパネル、及び、構造、方法におけるパネルにおいて、内層ボード及び／又は外層ボードが、幅方向に複数のボードを突き合わせ状態に並列させてパネルフレームに取り付けられたものからなり、該突き合わせ部がもう一方のボードの面内に位置しているとよい。その場合は、パネルに備えられた内層ボード及び／又は外層ボードにおける突き合わせ部分によって遮音壁の遮音性能が損なわれるのを防ぐことができる。
【発明の効果】
【００１５】
本発明は、以上のとおりのものであるから、ボード二層貼り遮音壁を、現場での施工の手間を軽減して、能率良く施工することができる。しかも、内層ボードにおけるボード突き合わせ部と外層ボードにおけるボード突き合わせ部とを揃わせず、遮音性能を損なわせることもない。
【発明を実施するための最良の形態】
【００１６】
次に、本発明の実施最良形態を図面に基づいて説明する。
【００１７】
図１〜図３に示す実施形態は、中空二重遮音壁についてのもので、１はボード二層貼り遮音壁パネルであり、該パネル１は、図１及び図２に示すように、パネルフレーム２と、内層ボード３と、外層ボード４とを備えている。
【００１８】
パネルフレーム２は、金属製のもので、左右の縦枠５ａ，５ａ及び上下の横枠５ｂ，５ｂで方形環状に組まれたパネルフレーム本体５と、ボード取付け用の縦桟６…とを備えており、縦桟６…は、パネルフレーム本体５の一方の面側ともう一方の面側との両方にそれぞれ５本づつ備えられ、各面側において、上下の横枠５ｂ，５ｂ間にわたすようにして左右方向に間隔をおいて配置され、パネルフレーム本体５に溶接などで一体的に取り付けられている。
【００１９】
内層、外層の各ボード３，４は石膏ボードからなっていて、パネルフレーム２の一方の面側ともう一方の面側との両方に備えられ、図１（イ）（ロ）に示すように、内層ボード３は、その両側部をいずれもパネルフレーム２の側面部位置から内方に控えさせるようにして取り付けられると共に、外層ボード４は、内層ボード３の外側において、両側部をいずれも内層ボード３の側面部位置から内方に控えさせるようにして取り付けられている。
【００２０】
具体的には、内層ボード３は、左右２枚のボード３ａ，３ａで構成されており、一方のボード３ａは、その両側縁部が、最側部の縦桟６ａと中央の縦桟６ｃとにビス７…等で取り付けられ、もう一方のボード３ａは、その両側縁部が、もう一方の最側部の縦桟６ｅと中央の縦桟６ｃとにビス７…等で取り付けられ、これらボード３ａ，３ａは、側面部突き合わせ状態に並列させた状態にされて備えられている。また、外層ボード４は、一枚のボードで構成され、該ボード４は、その両側縁部が、最側部の縦桟６ａ，６ｅと中央の縦桟６ｃとの間に備えられた左右二本の縦桟６ｂ，６ｄにビス７…等で取り付けられ、それにより、内層ボード３におけるボード３ａ，３ａの突き合わせ部が、外層ボード４の面内に位置するようになされていて、パネル１に備えられた内層ボード３におけるボード３ａ，３ａの突き合わせ部分によって遮音壁の遮音性能が損なわれないようにされている。
【００２１】
現場での施工は、まず、上記のボード二層貼り遮音壁パネル１を複数用い、図３（イ）に示すように、これらボード二層貼り遮音壁パネル１…を並列状態に設置する。これにより、ボード取付け用下地材である縦桟６…の現場施工をパネル式で能率良く行っていくことができる。しかも、パネル１には、予め内層ボード３と外層ボード４とが取り付けられているので、現場でのボードの取付け作業の労力も軽減することができる。また、各パネル１…において、内層ボード３は、その両側部をいずれもパネルフレーム２の側面部位置から内方に控えさせるようにして取り付けられているので、現場でのパネル１…の並列設置作業において、隣り合うパネル１，１の内層ボード３，３同士が干渉しあうことがなく、各パネル１の設置作業を施工容易に行っていくことができる。
【００２２】
こうしてパネル１…の設置を終えたのち、図３（イ）（ロ）に示すように、隣り合う遮音壁パネル１，１の内層ボード３，３間に現場貼り内層ボード８をパネルの縦桟を下地としてビス等で取り付けると共に、隣り合う遮音壁パネル１，１の外層ボード４，４間に現場貼り外層ボード９を同じくパネルの縦桟を下地としてビス等で取り付け、内層、外層の各ボード３，４を遮音壁パネル１…の並列方向において連続させた状態にすれば、ボード二層貼り遮音壁１０が形成される。
【００２３】
各パネル１…において、外層ボード４は、その両側部をいずれも内層ボード３の側面部位置から内方に控えさせるようにして取り付けられているので、こうして形成されたボード二層貼り遮音壁１０において、隣り合うパネル１，１の内層ボード３，３間をつなぐ現場貼り内層ボード８とパネル１，１の内層ボード３，３との突き合わせ部が、隣り合うパネル１，１の外層ボード４，４間をつなぐ現場貼り外層ボード９とパネル１，１の外層ボード４，４との突き合わせ部と揃ってしまうのが防がれ、パネル１，１間部分において遮音性能が損なわれてしまうこともない。
【００２４】
以上に、本発明の実施形態を示したが、本発明はこれに限られるものではなく、発明思想を逸脱しない範囲で各種の変更が可能である。例えば、上記の実施形態では、パネル１が、パネルフレーム本体５に片側５本の縦桟６…を備えさせている場合を示しているが、縦桟６を４本とし、最側部の両縦桟に一枚の内層ボードを取り付け、中間の二本の縦桟に一枚の外層ボードを取り付けたパネル構造をしていてもよいし、縦桟６は、一つのパネルの片側に６本以上備えられていてもよい。
【００２５】
また、上記の実施形態では、パネル１において、内層ボード３を複数枚のボード３ａ，３ａで構成し、外層ボード４を一枚のボードで構成した場合を示しているが、外層ボード４を複数枚のボードで構成し、内層ボード３を一枚のボードで構成したり、あるいは、外層ボード４を複数枚のボードで構成し、内層ボード３も複数枚のボードで構成するようにしてもよい。
【００２６】
また、上記の実施形態では、界壁や間仕切りなどに用いられる中空二重遮音壁を対象とした場合を示しているが、ボードが片面側にのみ二層貼りされた遮音壁を対象とすることも可能である。更に、縦桟の取り付けられるパネルフレーム本体の形態に制限はない。
【図面の簡単な説明】
【００２７】
【図１】実施形態の遮音壁パネルを示すもので、図（イ）は断面平面図、図（ロ）はパネルフレームとボードを分離状態にして示す断面平面図である。
【図２】パネルフレームとボードを分離状態にして示す遮音壁パネルの斜視図である。
【図３】図（イ）は、現場でのボード二層貼り遮音壁の施工方法を示す断面平面図、図（ロ）は施工後の同遮音壁の断面平面図である。
【図４】関連技術を示すもので、図（イ）〜図（ハ）は、ボード二層貼り遮音壁の施工方法を順次に示す断面平面図である。
【図５】他の関連技術を示すもので、図（イ）は使用するパネルフレームの斜視図、図（ロ）及び図（ハ）は施工方法を順次に示す断面平面図である。
【符号の説明】
【００２８】
１…ボード二層貼り遮音壁パネル
２…パネルフレーム
３…内層ボード
４…外層ボード
５…パネルフレーム本体
６…ボード取付け用縦桟
８…現場貼り内層ボード
９…現場貼り外層ボード
１０…ボード二層貼り遮音壁
【図１】
2006194021.tif 000003
【図２】
2006194021.tif 000004
【図３】
2006194021.tif 000005
【図４】
2006194021.tif 000006
【図５】
2006194021.tif 000007